(57)【要約】【課題】  既存の窓に容易に取り付けることができる換気扇及び換気扇付窓を提供する。【解決手段】  電動換気ファン６を備えた板材７を可動サッシ３ａに固定することで可動サッシ３ａに対して換気扇８を取り付け、既存の窓に容易に適用することができる換気扇付窓１とし、改造に多くの手間と費用をかけることなく電動換気ファン６の設置が可能な換気扇付窓１とする。【選択図】        図１
2005273268.tif 000002
【特許請求の範囲】
【請求項１】
固定枠に対して可動枠がスライド自在に設けられ、前記可動枠に窓ガラスが固定された窓に設けられる換気扇であって、
前記可動枠に固定される板部材に換気ファンが設けられていることを特徴とする換気扇。
【請求項２】
固定枠に対して可動枠がスライド自在に設けられ、前記可動枠側に換気ファンを設けたことを特徴とする換気扇付窓。
【請求項３】
固定枠に対して可動枠がスライド自在に設けられ、換気ファンを備えた板部材が前記可動枠に固定されていることを特徴とする換気扇付窓。
【請求項４】
請求項３に記載の換気扇付窓において、
換気ファンを備えた板部材は窓ガラスに代えて前記可動枠に固定されていることを特徴とする換気扇付窓。
【請求項５】
請求項３又は４に記載の換気扇付窓において、
前記換気ファンは電動換気ファンであり、窓が閉じられた状態で通電されることにより当該電動換気ファンが作動することを特徴とする換気扇付窓。
【請求項６】
請求項５に記載の換気扇付窓において、
窓が閉じられた状態で前記電動換気ファンに通電を行う通電部材を前記固定枠側に設けたことを特徴とする換気扇付窓。
【請求項７】
請求項６に記載の換気扇付窓において、
前記通電部材は接触式で通電を行うことを特徴とする換気扇付窓。
【請求項８】
請求項６に記載の換気扇付窓において、
前記通電部材は非接触式で通電を行うことを特徴とする換気扇付窓。
【発明の詳細な説明】
【技術分野】
【０００１】
本発明は、既存の窓に容易に取り付けることができる換気扇、及び既存の窓に容易に適用することができる換気扇付窓に関する。
【背景技術】
【０００２】
一般家屋の換気装置としては、建築時に壁に換気扇の取付部を設け、換気扇を設置することが一般的である。近年、新築や増改築にあたり２４時間換気が義務付けられる傾向にあるため、家屋に換気扇を設置することが建築の必須要件となってきている。新築時には予め換気扇の取付部(取付穴)を設けることが可能であるので、換気扇を設置することに何ら問題は生じない。しかし、増改築時のようにすでに建物が存在している場合、既存の壁に換気扇の取付穴を後から加工する必要があり、手間と費用が嵩んでいた。
【０００３】
このため、従来から、既存の壁に換気扇を設けるのではなく、窓に換気扇を設けるようにすることが提案されている。即ち、壁に固定される窓用固定枠に換気扇を設けることが提案されている（例えば、下記、特許文献１、特許文献２参照）。窓用固定枠に換気扇を設けることにより、壁に取付穴を後から加工する場合に比べて建築費や設備費を安価にすることができる。
窓用固定枠に換気扇を設ける場合、ある程度建築費や設備費を抑制することが可能である。しかし、壁に固定されている窓用固定枠を交換する必要があるため、壁に穴をあけるなどの工事ほど大掛かりではないが、換気扇の設置にはある程度の改造が必要となるため、手間と費用を要する工事となっていた。増改築時の２４時間換気が義務付けられる傾向にある状況を考慮すると、更に費用を抑えて容易に換気扇を設けることができる要望が高まっている。
【０００４】
【特許文献１】特開平５−２８０２６０号公報
【特許文献２】特開平１１−３２４５２４号公報
【発明の開示】
【発明が解決しようとする課題】
【０００５】
本発明は上記状況に鑑みてなされたもので、既存の窓に容易に取り付けることができる換気扇及び換気扇付窓を提供することを目的とする。
【課題を解決するための手段】
【０００６】
上記目的を達成する本発明の第１の態様の換気扇は、固定枠に対して可動枠がスライド自在に設けられ、前記可動枠に窓ガラスが固定された窓に設けられる換気扇であって、前記可動枠に固定される板部材に換気ファンが設けられていることを特徴とする。
かかる第１の態様の換気扇では、固定枠に対して可動枠がスライド自在に設けられ、可動枠に窓ガラスが固定された窓に設けられる換気扇であって、可動枠に固定される板部材に換気ファンが設けられているので、可動枠に対して板部材を取り付けることで換気扇を容易に窓に設置することができる。この結果、改造に多くの手間と費用をかけることなく換気扇の設置が可能になる。
【０００７】
本発明の第２の態様の換気扇付窓は、固定枠に対して可動枠がスライド自在に設けられ、前記可動枠側に換気ファンを設けたことを特徴とする。
かかる第２の態様の換気扇付窓では、固定枠に対して可動枠がスライド自在に設けられ、可動枠側に換気ファンを設けたので、可動枠側に対して換気扇を取り付けることで既存の窓に容易に適用することができる換気扇付窓とすることができる。この結果、改造に多くの手間と費用をかけることなく換気扇の設置が可能になる。
【０００８】
本発明の第３の態様の換気扇付窓は、固定枠に対して可動枠がスライド自在に設けられ、換気ファンを備えた板部材が前記可動枠に固定されていることを特徴とする。
かかる第３の態様の換気扇付窓では、固定枠に対して可動枠がスライド自在に設けられ、換気ファンを備えた板部材が可動枠に固定されているので、可動枠に対して換気扇を取り付けることで既存の窓に容易に適用することができる換気扇付窓とすることができる。この結果、改造に多くの手間と費用をかけることなく換気扇の設置が可能になる。
【０００９】
本発明の第４の態様は、第３の態様に記載の換気扇付窓において、換気ファンを備えた板部材は窓ガラスに代えて前記可動枠に固定されていることを特徴とする。
かかる第４の態様では、第３の態様に記載の換気扇付窓において、換気ファンを備えた板部材は窓ガラスに代えて可動枠に固定されているので、既存の窓ガラスを交換することで換気扇付窓とすることができる。
【００１０】
本発明の第５の態様は、第３又は４の態様に記載の換気扇付窓において、前記換気ファンは電動換気ファンであり、窓が閉じられた状態で通電されることにより当該電動換気ファンが作動することを特徴とする。
かかる第５の態様では、第３もしくは第４のいずれかの態様に記載の換気扇付窓において、換気ファンは電動換気ファンであり、窓が閉じられた状態で通電されることにより電動換気ファンが作動するので、窓を閉じることで換気ファンを作動させることができる。
【００１１】
本発明の第６の態様は、第５の態様に記載の換気扇付窓において、窓が閉じられた状態で前記電動換気ファンに通電を行う通電部材を前記固定枠側に設けたことを特徴とする。
かかる第６の態様では、第５の態様に記載の換気扇付窓において、窓が閉じられた状態で電動換気ファンに通電を行う通電部材を固定枠側との間に設けたので、既存の固定枠に対して簡単な改造で電動換気ファンへの通電が可能になる。
【００１２】
本発明の第７の態様は、第６の態様に記載の換気扇付窓において、前記通電部材は接触式で通電を行うことを特徴とする。
かかる第７の態様では、請求項６に記載の換気扇付窓において、通電部材は接触式で通電を行うので、簡単な構造で通電部材を構成することができる。
【００１３】
本発明の第８の態様は、第６の態様に記載の換気扇付窓において、前記通電部材は非接触式で通電を行うことを特徴とする。
かかる第８の態様では、請求項６に記載の換気扇付窓において、通電部材は非接触式で通電を行うので、劣化を抑制した構造の通電部材を構成することができる。
【発明の効果】
【００１４】
以上説明したように、本発明によれば、改造に多くの手間と費用をかけることなく換気ファンを取り付けることができる換気扇及び換気扇付窓を提供することができる。
【発明を実施するための最良の形態】
【００１５】
図１には本発明の一実施形態例に係る換気扇を適用した換気扇付窓の正面視、図２には図１中のII線矢視、図３には電動換気ファンの回路構成、図４には図２中の矢印IV部の詳細状況、図５には換気扇付窓の改造説明を示してある。
【００１６】
図１、図２に示すように、換気扇付窓１は、固定枠２に対して可動枠としての２枚の可動サッシ３がスライド自在に設けられている。一方の可動サッシ３ｂ（図１中右側）にはサン４を挟んで上下２枚のガラス窓５が固定され、他方の可動サッシ３ａ（図１中左側）にはサン４の下側にガラス窓５が固定されている。可動サッシ３ａのサン４の上側には薄型の電動換気ファン６を複数（図示例は３個）備えた板材７で構成される換気扇８が固定されている。
【００１７】
従って、換気扇８を適用することにより、可動サッシ３ａに換気扇８（板材７）を取り付けることで、既存の窓に対しても電動換気ファン６を容易に設置することができ、既存の窓に容易に適用できる換気扇付窓となる。
【００１８】
板材７は、透明なガラス板に電動換気ファン６を取り付けたものや、すりガラスや強化プラスチック等、透明なガラス板以外の板材に電動換気ファン６を取り付けたもの等を用いることができ、種々選択が可能である。また、電動換気ファン６の数も３個に限らず、窓の大きさや設置する部屋に応じて適宜個数を設定することができる。また、窓の形状によっては一つの窓ガラスの面積が小さくガラス窓を固定する箇所が狭い場合もあるので、このような場合には、板材を介することなく電動換気ファン６を直接可動サッシ３ａに固定することも可能である。
【００１９】
図１に示すように、固定枠２が固定される壁９には換気扇スイッチ１０が設けられ、換気扇スイッチ１０は、図示しない電源（例えば、家庭用交流電源：ＡＣ１００Ｖ）に接続されると共に、可動サッシ３ａを閉じた状態で通電部材１１を介して電動換気ファン６に接続される。図３に示すように、換気扇スイッチ１０は接点１５及びアダプタ１６により構成され、オンにすることで接点１５が接続されてアダプタ１６を介して通電部材１１に電力が供給される。
【００２０】
通電部材１１は、詳細は後述するが、固定枠２側及び可動サッシ３ａ側にそれぞれ設けられた接点部材により構成され、可動サッシ３ａを閉じた時に通電が可能になっている。つまり、換気扇スイッチ１０をオンにした状態で可動サッシ３ａを閉じると、通電部材１１を介して通電が行われて電動換気ファン６が作動し、可動サッシ３ａを開けることにより通電部材１１が非通電状態となって電動換気ファン６の作動が停止する。
【００２１】
図２、図４に基づいて通電部材１１を説明する。
【００２２】
可動サッシ３ａに固定される部位の換気扇８（板材７）には、接点を構成する可動ブラシ部材２１が固定され、可動ブラシ部材２１は電動換気ファン６に接続している。可動サッシ３ａを閉じた際に可動ブラシ部材２１と対向する位置の固定枠２には、可動ブラシ部材２１に接触する接点を構成する固定ブラシ２２が固定され、固定ブラシ２２は換気扇スイッチ１０に接続している。
【００２３】
可動サッシ３ａを閉じることにより、可動ブラシ部材２１が固定枠２の固定ブラシ２２に接触し、換気扇スイッチ１０側からの電力が電動換気ファン６に供給され、電動換気ファン６が作動する。通電部材１１とし可動ブラシ部材２１と固定ブラシ２２を接触させる接触式を適用したことにより、簡単な構造で通電部材１１を構成することが可能になる。
【００２４】
上記構成の換気扇付窓１では、既存の窓の窓ガラスに代えて可動サッシ３ａに固定することができる。即ち、図５に示すように、既存の窓２５に設けられたガラス窓２６を取り外し、ガラス窓２６が固定されていた部位に換気扇８の板材７を固定する。これにより、通電部材１１の簡単な工事を追加することで、既存の窓ガラス２６を交換して換気扇付窓１とすることが可能になる。
【００２５】
上記構成の換気扇８を適用した換気扇付窓１は、可動サッシ３ａに換気扇８（板材７）を取り付けることで、既存の窓に対しても電動換気ファン６を容易に設置することができ、改造に多くの手間と費用をかけることなく換気扇の設置が可能になる。特に、増改築時のようにすでに建物が存在している場合、既存の壁に換気扇の取付穴を後から加工する必要がなく、手間と費用をかけずに換気扇を容易に設置することが可能になる。
【００２６】
図６、図７に基づいて通電部材の他の実施形態例を説明する。前述した実施形態例では通電部材は接触式の例を挙げたが、以下の実施形態例は非接触式の例である。図６、図７には非接触式の通電部材を説明する要部断面を示してあり、図４に示した状態に相当する。
【００２７】
図６に示した通電部材３０は、可動サッシ３ａに固定される部位の換気扇８（板材７）には、非接触の接点を構成する可動コイル３１が設けられ、可動コイル３１は電動換気ファン６に接続している。可動サッシ３ａを閉じた際に可動コイル３１と対向する位置の固定枠２には、可動コイル３１との間に磁界Ｓを形成する固定コイル３２が設けられ、固定コイル３２は換気扇スイッチ１０に接続している。
【００２８】
可動サッシ３ａを閉じることにより、可動コイル３１と固定コイル３２が対向し、換気扇スイッチ１０側からの電流により磁界Ｓが可動コイル３１と固定コイル３２の間に形成される。磁界Ｓが形成されることにより可動コイル３１に電流が流れ、電動換気ファン６に電力が供給されて電動換気ファン６が作動する。即ち、通電部材３０は誘導型の通電部材となっている。
【００２９】
図６に示した通電部材３０は、非接触により通電を行うので、可動サッシ３ａの開閉によっても接触する部位が存在せず、接触による摩耗などの劣化が生じることがない。このため、劣化を抑制した構造の通電部材３０を構成することが可能になる。
【００３０】
図７に示した通電部材３５は、可動サッシ３ａに固定される部位の換気扇８（板材７）には、非接触の接点を構成する可動電極板３６が設けられ、可動電極板３６は電動換気ファン６に接続している。可動サッシ３ａを閉じた際に可動電極板３６と対向する位置の固定枠２には可動電極板３６との間に誘電体を形成する固定電極板３７が設けられ、固定電極板３７は換気扇スイッチ１０に接続している。
【００３１】
可動サッシ３ａを閉じることにより、可動電極板３６と固定電極板３７が対向し、換気扇スイッチ１０側からの電流により可動電極板３６と固定電極板３７との間に誘電体が形成され、固定電極板３７から電動換気ファン６に電力が供給されて電動換気ファン６が作動する。即ち、通電部材３５は誘電型の通電部材（コンデンサが構成された状態）となっている。
【００３２】
図７に示した通電部材３５は、図６に示した通電部材３０と同様に、非接触により通電を行うので、可動サッシ３ａの開閉によっても接触する部位が存在せず、接触による摩耗などの劣化が生じることがない。このため、劣化を抑制した構造の通電部材３５を構成することが可能になる。
【００３３】
尚、通電部材の構成は、上述した実施形態例（接触、非接触）の構成以外の構成であっても、可動サッシ３ａを閉じた際に通電を行う構成であれば適用可能である。例えば、可動サッシ３ａと固定枠２との間にコンセントを形成し、可動サッシ３ａを閉じた際にコンセントにプラグが差し込まれる構造とすることも可能である。また、換気扇スイッチ１０を介在させることなく、可動サッシ３ａを閉じた際に人が既存のコンセントにプラグを差し込んで通電を行う構成にすることも可能である。
【産業上の利用可能性】
【００３４】
本発明は、既存の窓に容易に取り付けることができる換気扇、及び既存の窓に容易に適用することができる換気扇付窓の産業分野で利用することができる。
【図面の簡単な説明】
【００３５】
【図１】本発明の一実施形態例に係る換気扇を適用した換気扇付窓の正面図である。
【図２】図１中のII線矢視図である。
【図３】電動換気ファンの回路構成図である。
【図４】図２中の矢印IV部の詳細図である。
【図５】換気扇付窓の改造説明図である。
【図６】非接触式の通電部材を説明する要部断面図である。
【図７】非接触式の通電部材を説明する要部断面図である。
【符号の説明】
【００３６】
１  換気扇付窓
２  固定枠
３  可動サッシ
４  サン
５  ガラス窓
６  電動換気ファン
７  板材
８  換気扇
９  壁
１０  換気扇スイッチ
１１，３０，３５  通電部材
１５  接点
１６  アダプタ
２１  可動ブラシ部材
２２  固定ブラシ
２５  窓
３１  可動コイル
３２  固定コイル
３６  可動電極板
３７  固定電極板
【図１】
2005273268.tif 000003
【図２】
2005273268.tif 000004
【図３】
2005273268.tif 000005
【図４】
2005273268.tif 000006
【図５】
2005273268.tif 000007
【図６】
2005273268.tif 000008
【図７】
2005273268.tif 000009